(57)【特許請求の範囲】
【請求項１】
略水平方向に水が流れる流入水路からの水が流れ込む吸込水槽であって、前記流入水路より幅広であり、かつ、前記流入水路との接続点において前記流入水路より深い、吸込水槽と、
前記吸込水槽からの水が流れ込むポンプ吸込水路であって、前記吸込水槽より浅い、ポンプ吸込水路と、
前記ポンプ吸込水路に配置されて複数の水路を形成する隔壁と、
前記複数の水路のそれぞれに配置され、各水路内の水を排水するポンプと、
前記吸込水槽内にあって水の流れと略直交して延びており、下端が前記流入水路の底より低い位置にあるが、前記吸込水槽の底には接しない、前記吸込水槽内の水流を減勢するための壁と、を備え、
る排水機場。
【請求項２】
前記吸込水槽の底には集砂ピットが形成され、
前記吸込水槽の底は、前記集砂ピットに向かって下り勾配である、請求項１に記載の排水機場。
【請求項３】
当該排水機場は地下に設けられるが、前記集砂ピットの上方は開口が形成されており、
当該ポンプは、前記集砂ピットの上方に設けられた揚砂機を備え、この揚砂機は、前記開口を通って下降し、前記集砂ピットに溜まった砂を吊り上げる、請求項２に記載の排水機場。
【請求項４】
前記壁によって、前記流入水路からの水は前記吸込水槽内で下降した後に上昇し、
上昇する際の流速は、水に含まれる砂が沈降する所定速度以下である、請求項２または３に記載の排水機場。
【請求項５】
前記壁と前記隔壁との間に設けられ、上端は計画高水位以上の位置にあり、下端は前記ポンプ吸込水路の底以下の位置にあるが前記吸込水槽の底には接しない、前記隔壁に対して角度をもって設けられたバッフルを備える、請求項１乃至４のいずれかに記載の排水機場。
【請求項６】
複数のポンプが設けられた排水機場における排水方法であって、
略水平方向に水が流れる流入水路からの水が流れ込む吸込水槽であって、前記流入水路より幅広であり、かつ、前記流入水路との接続点において前記流入水路より深い、吸込水槽内に、前記流入水路からの水の流れに対して略直交する、前記吸込水槽内の水流を減勢するための壁を設け、水が前記壁に当たることで水を減勢するとともに、水が前記壁の下方を通過することで水を整流し、偏流を抑えて各ポンプに水を導く、排水方法。
【発明の詳細な説明】
【技術分野】
【０００１】
本発明は、河川または地下放水路等からの流入水を複数のポンプで排水する排水機場に関し、特に、例えば都市部に設置するのに好適なコンパクトな排水機場に関する。また、本発明は、当該排水機場の排水方法に関する。
【背景技術】
【０００２】
河川や下水などを排水する排水機場におけるポンプは、その重要性や予備機を設けない設計思想などから、確実な始動および運転が求められる。したがって、全てのポンプが同様の条件で安定した運転ができるよう、ポンプに流れ込む水流を安定化させる必要がある。
【０００３】
そのために、長い吸込水槽を構築することで沈砂と流入水の安定、すなわち偏流や渦の防止を図ることが行われてきた（例えば、特許文献１）。しかしながら、流入水を安定させるためには吸込水槽を相応の長さにする必要があり、スペース的にも費用的にも問題がある。しかも、近年の排水設備では、地域の都市化やゲリラ豪雨などの影響で流入量が計画時より多くなる可能性や、長距離にわたって地下に幹線を敷設する際の費用削減のために幹線の水路幅が小型化されて、排水機場流入部での流速が速くなることなどから、さらに長い吸込水槽（安定区間）が必要となってきており、上記の問題はますます大きくなっている。
【０００４】
従来、吸込水槽内に可動仕切壁を設けること（特許文献２）や、吸込水槽内に隔壁を設けること（特許文献３）が開示されているが、流入水路の流速が速い場合、吸込水槽内の流れはそのまま直進する傾向にあり（図２０）、流入水の安定を図ることができない。なお、図２０では、矢印の長さが流速の大きさを表している。
【０００５】
特許文献４〜６には、底部に吸込水槽を、中央部に吐出水路を設け、複数の立軸ポンプを吐出水路の外周部に周方向に配置した構成のポンプ場が開示されている。また、特許文献７には、水流に対して直交する堰を流路に設けた構成のポンプ吸込水槽が開示されている。これらの構成によれば、吸込水槽を短くすることが見込まれる。
【先行技術文献】
【特許文献】
【０００６】
【特許文献１】特開平１０−７３０９０号公報
【特許文献２】特開平９−５３６００号公報
【特許文献３】実開平６−６７８９８号公報
【特許文献４】特開平５−１８０１８７号公報
【特許文献５】実開平５−８９５２０号公報
【特許文献６】特許第２５０６２３３号公報
【特許文献７】実開昭６１−１８７９９８号公報
【発明の概要】
【発明が解決しようとする課題】
【０００７】
しかしながら、特許文献４〜６の構成では、吸込水槽が閉鎖空間となるため、ポンプトリップ時に生じるアップサージやＵ字管現象により上流側に水が逆流することがあり、マンホールが吹き飛んだりするおそれがある。また、特許文献７の構成では、堰を設けるため流入側の運用水位が高くなり、治水の信頼性を悪化させる。すなわち流入水の流量変動に対してポンプ側の水位変化が極めて敏感であり、始動の遅れや、流入量と吐出量のアンバランスにより上流側河川が溢れる虞がある。このため吸込水槽に十分なバッファを設ける必要があり、排水機場のスペースが広大となる。
【０００８】
本発明はこのような問題点に鑑みてなされたものであり、本発明の課題は、広大な設置面積を不要とし、かつ流入水を偏流なく各ポンプへ導き、全てのポンプの能力を最大限に発揮することのできる排水機場および排水方法を提供することである。
【課題を解決するための手段】
【０００９】
本発明の一態様によれば、流入水路からの水が流れ込む吸込水槽であって、前記流入水路より幅広であり、かつ、前記流入水路より深い、吸込水槽と、前記吸込水槽からの水が流れ込むポンプ吸込水路であって、前記吸込水槽より浅い、ポンプ吸込水路と、前記ポンプ吸込水路に配置されて複数の水路を形成する隔壁と、前記複数の水路のそれぞれに配置され、各水路内の水を排水するポンプと、前記吸込水槽内にあって水の流れと略直交して延びており、下端が前記流入水路の底より低い位置にあるが、前記吸込水槽の底には接しない壁と、を備える排水機場が提供される。
【００１０】
この構成によれば、壁を設けることで水を減勢および整流でき、各ポンプに偏流なく水が導かれるため、全てのポンプの能力を最大限に発揮できる。また、吸込水槽を短くすることができ、コンパクト化が可能である。
【００１１】
前記吸込水槽の底には集砂ピットが形成され、前記吸込水槽の底は、前記集砂ピットに向かって下り勾配であるのが望ましい。
この構成によれば、集砂ピットに砂を沈降させることができ、従来の沈砂池設備または長大な吸込水槽を省く排水機場の小型化が可能である。また主ポンプの損傷などを抑えることができる。
【００１２】
当該排水機場は地下に設けられるが、前記集砂ピットの上方は開口が形成されており、当該ポンプは、前記集砂ピットの上方に設けられた揚砂機を備え、この揚砂機は、前記開口を通って下降し、前記集砂ピットに溜まった砂を吊り上げるのが望ましい。
この構成によれば、集砂ピットに溜まった砂を開口から地上に吊り上げることができる。
【００１３】
前記壁によって、前記流入水路からの水は前記吸込水槽内で下降した後に上昇し、上昇する際の流速は、水に含まれる砂が沈降する所定速度以下であるのが望ましい。
この構成によれば、流速を遅くすることで、砂を効率よく集砂ピットに沈降させることができる。
【００１４】
当該排水機場は、前記壁と前記隔壁との間に設けられ、上端は計画高水位以上の位置にあり、下端は前記ポンプ吸込水路の底以下の位置にあるが前記吸込水槽の底には接しない、前記隔壁に対して角度をもって設けられたバッフルを備えるのが望ましい。
この構成によれば、バッフルを設けることで、ポンプに達するまでに水を整流できる。
【００１５】
また、本発明の別の態様によれば、複数のポンプが設けられた排水機場における排水方法であって、流入水路からの水の流れに対して略直交する壁を設け、水が前記壁に当たることで水を減勢するとともに、水が前記壁の下方を通過することで水を整流し、偏流を抑えて各ポンプに水を導く、排水方法が提供される。
【発明の効果】
【００１６】
水の流れに対して略直交する壁を設けることで、水を減勢および整流でき、安全性が向上するとともに、排水機場を小型化できる。
【図面の簡単な説明】
【００１７】
【図１】第１の実施形態に係る排水機場１００を上方から見た図
【図２】図１の排水機場１００のＡ−Ａ断面図
【図３】別の例における吸込水槽２の底の断面図
【図４】壁２１を流入水路１側から見た図
【図５】第２の実施形態に係る排水機場１０１を上方から見た図
【図６】第３の実施形態に係る排水機場１０２を上方から見た図
【図７】図６の排水機場１０２のＢ−Ｂ断面図
【図８】図６の排水機場１０２の別の例のＢ−Ｂ断面図
【図９】第５の実施形態に係る排水機場１０４を上方から見た図
【図１０】図９の排水機場１０４のＡ−Ａ断面図
【図１１】図１０におけるＦ１平面図
【図１２】図１０におけるＦ２平面図
【図１３】図１０におけるＦ３平面図
【図１４】固定壁２１１を流入水路１側から見た図
【図１５】第６の実施形態に係る排水機場１０５を上方から見た図
【図１６】排水機場１０５のＡ−Ａ断面図
【図１７】図１６におけるＦ１平面図
【図１８】図１６におけるＦ２平面図
【図１９】図１６におけるＦ３平面図
【図２０】従来の吸込水槽における水の流れを模式的に示す図
【発明を実施するための形態】
【００１８】
以下、本発明に係る実施形態について、図面を参照しながら具体的に説明する。
【００１９】
（第１の実施形態）
図１は、第１の実施形態に係る排水機場１００を上方から見た図である。図２は、図１の排水機場１００のＡ−Ａ断面図（隔壁３１ａは省略）である。この排水機場１００は地上から数十ｍの地下に設けられるものであり、排水機場１００は、上流側から順に並ぶ流入水路１、吸込水槽２およびポンプ吸込水路３を備えるとともに、吸込水槽２に設けられた壁２１およびバッフル２２ａ〜２２ｃと、ポンプ吸込水路３に設けられた隔壁３１ａ〜３１ｃおよびポンプ３２ａ〜３２ｄとを備えている。
【００２０】
流入水路１は排水機場１００の上流側に設けられており、その形状は、図示のように矩形でもよいし、円形であってもよく、特に制限はない。流入水路１は、省スペースのため、できるだけ狭い幅で形成されるのが望ましい。
【００２１】
吸込水槽２は流入水路１の下流側にあり、流入水路１からの水を吸い込む。吸込水槽２の形状は、図示のように矩形でもよいし、流入水路１との接続箇所から徐々に拡がってもよく、特に制限はない。ただし、吸込水槽２は、図１に示すように流入水路１より幅広であり、かつ、図２に示すように流入水路１より深い。
【００２２】
また、吸込水槽２の底の下流側（すなわち、壁２１を超えた位置）の隅には、窪んだ集砂ピット２３が形成されている。そして、吸込水槽２の底は流入水路１側から集砂ピット２３に向かって下方に傾斜している。なお、図３に示すように、吸込水槽２の底の下流側の隅および上流側の隅の両方に集砂ピット２３が形成され、吸込水槽２の底は、中央部が高く、２つの集砂ピット２３に向かって下方に傾斜していてもよい。そして、図２に示すように、集砂ピット２３の上方は開口しており、揚砂機２４が設けられる。
【００２３】
吸込水槽２には、水流とほぼ直交する方向（吸込水槽２の幅方向）に延びる壁２１が設けられる。壁２１の両側面は吸込水槽２の側壁に接続されてもよい。壁２１の上端は計画高水位ＨＷＬ（High Water Level）より高い位置にあればよく、例えば天井から懸下される。壁２１の下端は、流入水路１およびポンプ吸込水路３の底より低い位置にあるが、吸込水槽２の底には接していない。
【００２４】
図４は、壁２１を流入水路１側から見た図である。壁２１の下端は水平であってもよいが、図示のように中央部が最も低く、吸込水槽２の側壁に近いほど高くなるよう傾斜していてもよい。これにより、水流が水槽の中央に偏るのを緩和することができる。
【００２５】
図１および図２に戻り、吸込水槽２には、一端が壁２１に接続された複数のバッフル２２ａ〜２２ｃが設けられる。中央のバッフル２２ｂは壁２１に対してほぼ直角に延びている。一方、両隣のバッフル２２ａ，２２ｃは、下流側ほど吸込水槽２の側壁に近づくよう、若干傾斜して延びている。バッフル２２ａ〜２２ｃの上端は計画高水位ＨＷＬより高い位置にある。バッフル２２ａ〜２２ｃの下端は、ポンプ吸込水路３の底以下の位置にあるが、吸込水槽２の床には接していない。
【００２６】
ポンプ吸込水路３は吸込水槽２の下流側にあり、吸込水槽２からの水を吸い込む。図１に示すように、ポンプ吸込水路３は吸込水槽２と幅が等しい。また、図２に示すように、ポンプ吸込水路３は吸込水槽２より浅いが、流入水路１よりやや深くてもよい。ポンプ吸込水路３における天井面は、吸込水槽２側から所定距離は高さが一定であり、その後、下流側に向かって下方に傾斜し、その後、また高さが一定となる。
【００２７】
ポンプ吸込水路３には、平行に延びる複数の隔壁３１ａ〜３１ｃが設けられる。隔壁３１ａ〜３１ｃの一端は、それぞれバッフル２２ａ〜２２ｃに接続される。隔壁３１ａ〜３１ｃの他端は、ポンプ吸込水路３の終端に接続される。
【００２８】
また、ポンプ吸込水路３には、その最下流にポンプ３２ａ〜３２ｄが設けられる。なお、ポンプ３２ａ〜３２ｄとして立軸斜流ポンプを例示しているが、立軸渦巻斜流ポンプ、軸流ポンプ、斜流ポンプ、渦巻斜流ポンプ、水中ポンプなどでもよく、特に制限はない。
【００２９】
以下、吸込水槽２およびポンプ吸込水路３の側壁と、バッフル２２ａと、隔壁３１ａとによって形成される水路を第１水路６１と呼ぶ。バッフル２２ａ，２２ｂおよび隔壁３１ａ，３１ｂによって形成される水路を第２水路６２と呼ぶ。バッフル２２ｂ，２２ｃおよび隔壁３１ｂ，３１ｃによって形成される水路を第３水路６３と呼ぶ。バッフル２２ｃと、隔壁３１ｃと、吸込水槽２およびポンプ吸込水路３の側壁とによって形成される水路を第４水路６４と呼ぶ。
【００３０】
このような排水機場１００は次のように機能する。
流入水路１には、流速２〜５ｍ／ｓ程度の水が、河川や地下放水路などから流入する。この水は吸込水槽２に流れ込む。流入水路１は（少なくとも吸込水槽２より）狭いため、流れ込む水の流速が速いこともあり得る。
【００３１】
次いで、図２に示すように、吸込水槽２において壁２１の流入水路１側の面に水がぶつかる。これにより、水流は乱れるが、流速を下げることができる。すなわち、壁２１は水を減勢する。壁２１にぶつかることで水流は下向きとなり、壁２１に沿って下降する。そして、水は吸込水槽２の底と壁２１の下端との間を通る。この際に、乱れた水流は整えられる。
【００３２】
水は壁２１をくぐって上昇するとともに、バッフル２２ａ〜２２ｃによってさらに水が整流され、第１水路６１〜第４水路６４のいずれかに偏流することなく分流し、ポンプ吸込水路３に流れ込む。各水路におけるポンプ３２ａ〜３２ｄは、水路内の水を揚水して吐出側河川（不図示）に排出する。
【００３３】
吸込水槽２の底が集砂ピット２３に向かって傾斜していることで、水が壁２１の下方を通過する際に落ちた砂が集砂ピット２３に沈降する。また、水が壁２１をくぐって上昇する際に、砂が落ちてやはり集砂ピット２３に沈降する。集砂ピット２３に溜まった砂は、上方に設けられた揚砂機２４によって吊り上げられる。
【００３４】
なお、一般に流速が０．１５〜０．３ｍ／ｓとなれば水に含まれる砂が落下する。よって、壁２１をくぐって上昇する際の水の流速が、この流速以下となるようにするのが望ましい。上昇する水の流速は、ポンプ３２ａ〜３２ｄの能力が高いほど高くなり、壁２１から吸込水槽２の終端までの体積が大きいほど低くなるので、これらを適切に設計して上昇する水の流速を制御すればよい。これにより、ポンプ３２ａ〜３２ｄに到達する砂の量を減らすことができる。
【００３５】
このように、吸込水槽２に壁２１を設けて水を減勢し、吸込水槽２の底に集砂ピット２３を形成することで、効率よく砂を除去できる。
【００３６】
図４に示すように、壁２１の下端が傾斜していると、吸込水槽２の側壁側の開口面積が広くなって水が流れやすくなり、中央の第２水路６２および第３水路６３に水流が偏ることなく、端の第１水路６１および第４水路６４にも水流を振り分けることができる。
【００３７】
このように、第１の実施形態では、吸込水槽２内に、下端が流入水路１の底面およびポンプ吸込水路３の底面より深い位置にある壁２１を設ける。したがって、流入水路１からの水が壁２１に当たり一旦下降した後に上昇することで、水が減勢されるとともに、水が壁２１の下端をくぐる際に整流される。よって、水を偏流なく各ポンプ３２ａ〜３２ｄに導くことができ、各ポンプ３２ａ〜３２の能力を最大限に発揮できる。また、壁２１で水を減勢できるため、吸込水槽２の長さを短くすることができ、排水機場１００の小型化が可能である。
【００３８】
（第２の実施形態）
図５は、第２の実施形態に係る排水機場１０１を上方から見た図である。以下、第１の実施形態との相違点を中心に説明する。
【００３９】
排水機場１０１は、吸込水槽２に接続された残水排水槽４と、残水排水槽４内に設けられた揚水ポンプ４１とを更に備えている。
【００４０】
吸込水槽２の側壁には開口４２が形成されており、この開口４２を通って吸込水槽２から残水排水槽４に水が流れることができる。揚水ポンプ４１は、吸込水槽２内の水を揚水して、例えば下水処理施設に排水する。開口４２が設けられる位置は任意でよいが、壁２１の上流側に設けられるのが望ましい。砂によって揚水ポンプ４１が詰まったり損傷したりするのを抑えることができるためである。
【００４１】
ポンプ３２ａ〜３２ｄは、ポンプ吸込水路３内の水を排水するが、吸込水槽２内の水をすべて排水できるとは限らず、ポンプ吸込水路３の底より低い水位で吸込水槽２内に水が残ることもある。そこで、本実施形態では、吸込水槽２内の残水を残水排水槽４に引き込み、揚水ポンプ４１で排水する。これにより、吸込水槽２内を常時はドライにすることができ、水質の悪化や悪臭を抑えることができる。
【００４２】
（第３の実施形態）
図６は、第３の実施形態に係る排水機場１０２を上方から見た図である。図７は、図６の排水機場１０２のＢ−Ｂ断面図である。以下、第１の実施形態との相違点を中心に説明する。
【００４３】
排水機場１０２における吸込水槽２の側壁には、例えば壁２１の上流側に開口２５が形成されている。図７に示すように、開口２５は縦長形状であり、その上端は計画高水位ＨＷＬと同程度の位置にあり、下端は流入水路１の底と同程度からそれより若干高い位置にある。
【００４４】
また、排水機場１０２は、開口２５を開閉するゲート２６と、ゲート２６を昇降する昇降機構２７（例えばモータ）と、開口２５の外側に設けられたバケット２８および揚水ポンプ２９とを備えている。
【００４５】
壁２１を設けると、油水分離槽と同様の原理により、油や浮遊塵芥などの浮遊物が吸込水槽２の上流側に漂流する。そこで、本実施形態では、以下のようにして、ポンプ３２ａ〜３２ｄの運転中に、流入水路１から流れ込む水に含まれる浮遊物を除去する。
【００４６】
不図示の水位計により吸込水槽２の水位を計測し、その結果に応じて昇降機構２７はゲート２６を昇降させる。より具体的には、昇降機構２７は、ゲート２６の上端が水位より数十ｃｍ程度下に位置するよう、ゲート２６の位置を調節する。昇降機構２７は、随時ゲート２６を昇降させてもよいが、望ましくは、水位設定値を設けて水位設定値を跨ぐ度に段階的にゲート２６を昇降させる。
【００４７】
ゲート２６の上端が水位より所定値だけ下に位置することにより、吸込水槽２の上水（浮遊物を含む）のみが開口２５を通る。その後、浮遊物はバケット２８によって除去され、水は揚水ポンプ２９によって下水処理施設などに排水される。なお、ポンプ３２ａ〜３２ｄの運転中には、ゲート２６は上昇して開口２５が閉じるようにしてもよい。
【００４８】
このように、第３の実施形態では、吸込水槽２に開口２５を形成するとともに、ゲート２６を設ける。そのため、浮遊物がポンプ３２ａ〜３２ｄから吐出側河川に排出されるのを抑えることができ、環境性に優れた排水機場１０２を構築できる。
【００４９】
（第４の実施形態）
上述した第３の実施形態は、ポンプ３２ａ〜３２ｄの運転中に浮遊物を除去するものであった。これに対し、以下に説明する第４の実施形態は、ポンプ３２ａ〜３２ｄの停止中に浮遊物を除去するものである。本実施形態に係る排水機場１０２を上方から見た図は図６と同じであり、以下、第３の実施形態との相違点を中心に説明する。
【００５０】
図８は、図６の排水機場１０２の別のＢ−Ｂ断面図である。開口２５ａは、図７に示す開口２５より小さい。すなわち、開口２５ａの上端はポンプ３２ａ〜３２ｄの停止時の水位（固定値、以下では停止水位という）以上の位置にあり、下端は同停止水位より数十ｃｍ〜１ｍ程度低い位置にある。開口２５ａが小さいため、ゲート２６ａも小型なものでよい。
【００５１】
本実施形態では、ポンプ３２ａ〜３２ｄの運転中、昇降機構２７はゲート２６ａを上昇させて開口２５ａを閉じておく。ポンプ３２ａ〜３２ｄが停止した後、昇降機構２７はゲート２６ａを下降させて開口２５ａを全開とする。ポンプ３２ａ〜３２が停止すると、吸込水槽２における水位は固定値である停止水位となり、やはり吸込水槽２の上水のみが開口２５を通り、浮遊物はバケット２８によって除去され、水は揚水ポンプ２９によって下水処理施設などに排水される。
このように、第４の実施形態では、ポンプ３２ａ〜３２ｄの停止中に浮遊物を除去できる。また、開口２５ａやゲート２６ａを小型化できる。
【００５２】
（第５の実施形態）
図９は、第５の実施形態に係る排水機場１０４を上方から見た図である。図１０は、図９の排水機場１０４のＡ−Ａ断面図である。また、図１１〜図１３は、図１０におけるＦ１平面、Ｆ２平面およびＦ３平面をそれぞれ示す図である。以下、第１の実施形態との相違点を中心に説明する。
【００５３】
排水機場１０４は、排水機場１００における壁２１が固定壁２１１および可動壁２１２ａ〜２１２ｄから構成されるともに、可動壁２１２ａ〜２１２ｄを昇降させる昇降機構２Ａを備えている。
【００５４】
固定壁２１１は、流入水路１側から見た図を図１４に示すように、水流とほぼ直交する方向に延びる壁本体２１１０と、壁本体２１１０から下方に延びる吸込水槽隔壁２１１ａ〜２１１ｃとから構成され、吸込水槽隔壁２１１ａ〜２１１ｃ間は開口している。図１０に示すように、壁本体２１１０の上端は計画高水位ＨＷＬより高い位置にあり、例えば天井から懸下される。壁本体２１１０の下端は計画高水位ＨＷＬより低い位置（例えば流入水路１の上端と同程度）にある。
【００５５】
図１２に示すように、吸込水槽隔壁２１１ａ〜２１１ｃの一端はそれぞれバッフル２２ａ〜２２ｃに接続され、第１水路６１〜第４水路６４を形成する。また、図１１に示すように、吸込水槽隔壁２１１ａ〜２１１ｃの水流方向の長さは、壁本体２１１０の水流方向の長さより若干長く、上流側に張り出している。この張り出した部分において、鉛直方向に延びる溝状の切り欠きが形成されている。また、吸込水槽２の両側壁にも同様の切り欠きが形成されている。
【００５６】
これらの切り欠きに可動壁２１２ａ〜２１２ｄの両端が嵌まっており、固定壁２１１の下部に形成された開口を開閉する。より具体的には、可動壁２１２ａは、第１水路６１の最も上流側、言い換えると、吸込水槽２の側壁と吸込水槽隔壁２１１ａとの間の開口と対向して設けられ、水流とほぼ直交する方向に延びている。同様に、可動壁２１２ｂは吸込水槽隔壁２１１ａ，２１１ｂ間の開口、可動壁２１２ｃは吸込水槽隔壁２１１ｂ，２１１ｃ間の開口、可動壁２１２ｄは吸込水槽隔壁２１１ｃと吸込水槽２の側壁との間の開口にそれぞれ対向して設けられる。
【００５７】
なお、本実施形態では１つの水路に対して１つの可動壁を設ける例を示しているが、複数の水路に対して１つの可動壁を設けてもよい。可動壁２１２ａ〜２１２ｄの下端は、中央部が端より低い位置にあってもよい。より具体的には、図４と同様に可動壁２１２ａ〜２１２ｄのそれぞれの下端が傾斜していてもよいし、中央に位置する可動壁２１２ｂ，２１２ｃは低い位置まであり、端に位置する可動壁２１２ａ，２１１ｄは少し高い位置まであってもよい。溝状の切り欠きは、壁表面に設置されたガイド部材でもよい。
【００５８】
そして、昇降機構２Ａは、切り欠きに沿って、可動壁２１２ａ〜２１２ｄを個別に昇降させる。
【００５９】
このような構成の排水機場１０４において、流入水路１からの水量が少ない時には、昇降機構２Ａによって可動壁２１２ａ〜２１２ｄを上昇させ、開口を開ける。そうすると、可動壁２１２ａ〜２１２ｄの下端が壁本体２１１０の下端と同程度の位置となり（図１０を参照）、流入水路１からの水はほとんど固定壁２１１（および可動壁２１２ａ〜２１２ｄ）にぶつかることなくポンプ吸込水路３に達する。これにより、通常時の水路損失を低減できる。通常時はもともと流速が遅いため、偏流はほとんどないし、集砂ピット２３に砂を沈降させることができる。
【００６０】
一方、流入水路１からの水量が多い場合、昇降機構２Ａによって、可動壁２１２ａ〜２１２ｄを下降させ、開口を閉じる。これによって図１と同様の状態となり、偏流を抑えることができる。
【００６１】
なお、流入水路１からの水量に応じて、昇降機構２Ａは、可動壁２１２ａ〜２１２ｄの一部を上昇させ、他を下降させてもよい。例えば、流入水路１からの水量が中程度である場合、中央の可動壁２１２ｂ，２１２ｃのみを下降させるようにしてもよい。
【００６２】
ところで、ポンプ３２ａ〜３２ｄは、通常は停止しており、大雨など流入水路１からの水量が多いときに運転する。よって、長期間ポンプ３２ａ〜３２ｄが運転しないこともあり得る。そのため、ポンプ３２ａ〜３２ｄが正常に動作することを定期的に確認しておく必要があり、そのための運転を管理運転という。本実施形態では、昇降機構２Ａが、可動壁２１２ａ〜２１２ｄの下端が吸込水槽２の底に達するまでこれらを下降させることで、簡易に管理運転を行うことができる。以下、管理運転を行うための構成を説明する。
【００６３】
図９に示すように、排水機場１０４は、吐出水槽（不図示）からの水が流れ込むバイパス水路５と、管理運転用バイパスゲート５１とを備えている。
【００６４】
吸込水槽２またはポンプ吸込水路３の側壁には、バイパス水路５が接続される開口５２が設けられる。開口５２が設けられる位置は、バッフル２２ｃと対向する位置であるのが望ましいが、ポンプ３２ｄより上流側であればよい。そして、この開口５２を開閉できるよう管理運転用バイパスゲート５１が設けられる。すなわち、管理運転用バイパスゲート５１は、バイパス水路５とポンプ３２ｄとの間に設けられる。管理運転用バイパスゲート５１は通常は閉じているが、これが開くと、バイパス水路５からの水が第４水路６４を通ってポンプ３２ｄに流れる。なお、第１水路６１に接続されるバイパス水路および管理運転用バイパスゲートをさらに設けてもよい。
【００６５】
管理運転を行う際、管理運転用バイパスゲート５１を開くとともに、昇降機構２Ａによって可動壁２１２ａ〜２１２ｄの下端が吸込水槽２の底に接するまでこれらを下降させる。これにより、吐出水槽からの水がポンプ３２ｄに流れ込み、ポンプ３２ｄを運転させることができる。
【００６６】
このように、第５の実施形態では、可動壁２１２ａ〜２１２ｄを設ける。そのため、流入水路１からの水量に応じてポンプ吸込水路３に流れ込む水を制御できる。また、可動壁２１２ａ〜２１２ｄを吸込水槽２の底まで下降させられるようにすることで、簡易に管理運転を行うことができる。
【００６７】
（第６の実施形態）
上述した第５の実施形態は、固定壁２１１の下部を開口させ、この開口に対向して可動壁２１２ａ〜２１２ｄを設けるものであった。これに対し、以下に説明する第６の実施形態は、壁２１として可動壁２１２ａ〜２１２ｄのみを設けるものである。
【００６８】
図１５は、第６の実施形態に係る排水機場１０５を上方から見た図である。図１６は、排水機場１０５のＡ−Ａ断面図である。また、図１７〜図１９は図１６におけるＦ１平面、Ｆ２平面およびＦ３平面をそれぞれ示す図である。以下、第５の実施形態との相違点を中心に説明する。
【００６９】
図１５に示すように、隔壁３１ａ〜３１ｃがポンプ吸込水路３から吸込水槽２内まで張り出している。張り出した部分の下端は、ポンプ吸込水路３の底以下に位置する。この張り出した部分において、可動壁２１２ａ〜２１２ｄが上下方向に可動するように構成されている。また、図１６に示すように、ポンプ吸込水路３の底は流入水路１の底よりも下に位置する。
【００７０】
そして、第５の実施形態と同様に、流入水路１からの水量が少ない時には、昇降機構２Ａによって、可動壁２１２ａ〜２１２ｄを、例えばその下端が流入水路１の上端と同程度になるまで上昇させる。一方、流入水路１からの水量が多い場合、昇降機構２Ａによって、可動壁２１２ａ〜２１２ｄを、下端が流入水路１の下端以下まで下降させる。これにより、流入水路から流入した水流は可動壁にあたって減勢され、吸込水槽２の下方へ方向を変え、次に吸込水槽２の壁に沿って上昇し、整流されながらポンプ吸込水路へ吸込まれる。また、昇降機構２Ａが、可動壁２１２ａ〜２１２ｄの下端がポンプ吸込水路３の底に達するまでこれらを下降させることで、簡易に管理運転を行うこともできる。
【００７１】
このように、第６の実施形態でも、可動壁２１２ａ〜２１２ｄを設けることで、流入水路１からの水量に応じてポンプ吸込水路３に流れ込む水を制御できるとともに、簡易に管理運転を行うことができる。
上述した第１から第６の実施形態において、排水機場の形は図示したような矩形でなくてもよいことはもちろんである。また、流入水路は排水機場に対して流入角度があってもよく、本発明は排水機場に対して流入角を持った流入水にも適用できる。排水機場に設置するポンプの台数は複数であり、実施形態で示す４台より多くてもよい。
【００７２】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００７３】
１  流入水路
２  吸込水槽
２１  壁
２１１  固定壁
２１１０  壁本体
２１１ａ〜２１１ｃ  吸込水槽隔壁
２１２ａ〜２１２ｄ  可動壁
２２ａ〜２２ｃ  バッフル
２３  集砂ピット
２４  揚砂機
２５  開口
２６  ゲート
２７  昇降機構
２８  バケット
２９  揚水ポンプ
２Ａ  昇降機構
３  ポンプ吸込水路
３１ａ〜３１ｃ  隔壁
３２ａ〜３２ｄ  ポンプ
４  残水排水槽
４１  揚水ポンプ
４２  開口
５  バイパス水路
５１  管理運転用バイパスゲート
５２  開口
６１〜６４  水路
１００〜１０４  排水機場
【図１】
0006623006.tif 000002
【図２】
0006623006.tif 000003
【図３】
0006623006.tif 000004
【図４】
0006623006.tif 000005
【図５】
0006623006.tif 000006
【図６】
0006623006.tif 000007
【図７】
0006623006.tif 000008
【図８】
0006623006.tif 000009
【図９】
0006623006.tif 000010
【図１０】
0006623006.tif 000011
【図１１】
0006623006.tif 000012
【図１２】
0006623006.tif 000013
【図１３】
0006623006.tif 000014
【図１４】
0006623006.tif 000015
【図１５】
0006623006.tif 000016
【図１６】
0006623006.tif 000017
【図１７】
0006623006.tif 000018
【図１８】
0006623006.tif 000019
【図１９】
0006623006.tif 000020
【図２０】
0006623006.tif 000021